(57)【要約】【課題】斬新性と有用性に富む新規な水盤とその製法を提供する。【解決手段】有機性炭化粉、硬質微粒子、セメント、酸性液、顔料の混合練り込み物を、適宜形状に成形した芯材表面に塗りつけ乾燥させたことを特徴とする。【選択図】      図１
2005342455.tif 000002
【特許請求の範囲】
【請求項１】
有機性炭化粉、硬質微粒子、セメント、酸性液、顔料の混合練り込み物を、適宜形状に成形した芯材表面に塗りつけ乾燥させたことを特徴とする水盤。
【請求項２】
有機性炭化粉、硬質微粒子、セメント、酸性液、顔料を適宜配合比にて混合し、練り込む第１工程、この練り込み物を未乾燥の状態にて、あらかじめ所定形状に成形した芯材表面に塗りつけた後、放置乾燥させる第２工程、乾燥した成型物を水にさらしてあく抜きを行った後、乾燥させる第３工程の各工程からなることを特徴とする水盤の製法。
【発明の詳細な説明】
【技術分野】
【０００１】  この発明は、山川草木的雰囲気を醸し出すのに適した水盤およびその製法に関する。
【背景技術】
【０００２】  従来より、陶製、鉄製、木製にて浅い器を形成し、これに水をはって花を生けたり盆石などを置いて楽しむいわゆる水盤があるが、本発明にて示すように、木炭に近似の質感が得られるように、木炭粉に種々の材料を加えて器を形成した水盤およびその製法は現在のところ見当たらない。
【発明の開示】
【発明が解決しようとする課題】
【０００３】  前記したように、従来の水盤は陶器・鉄・木などにより器形状を形成したものであり、人工的造形物としての視覚的印象を与えがちであり、より自然に近い印象の得られる水盤が望まれていた。本発明は以上のような従来からの水盤に比べて、より自然に近い視覚印象が得られる新規かつ有用なる水盤およびその製法を提供することを目的として開発されたものである。
【課題を解決するための手段】
【０００４】  課題を解決する手段として本発明は、各種材料を適宜比率にて混合して練り込み、あらかじめ成形した芯材に塗りつけ乾燥させることをその主要部とした。
すなわち本発明の一つは、有機性炭化粉、硬質微粒子、セメント、酸性液、顔料の混合練り込み物を、適宜形状に成形した芯材表面に塗りつけ乾燥させたことを特徴とする水盤である。また本発明の他の一つは、有機性炭化粉、硬質微粒子、セメント、酸性液、顔料を適宜配合比にて混合し、練り込む第１工程、この練り込み物を未乾燥の状態にて、あらかじめ所定形状に成形した芯材表面に塗りつけた後、放置乾燥させる第２工程、乾燥した成型物を水にさらしてあく抜きを行った後、乾燥させる第３工程の各工程からなることを特徴とする水盤の製法である。
【発明の効果】
【０００５】  本発明によれば、炭粉、硬質微粒子、セメント、酸性液、松煙を用いて混合練り込みしてなる器形成材料を芯材に塗り込み乾燥することにより、従来にない器を形成する手法による水盤となるため、炭化色に近い色合いと質感が得られ、独自の風情を有する水盤を得ることができる。
また、その使用に際して超音波発生器を併用することで、水面上に霧を連続的に発生させることができて、より風情を高めることのできる有用かつオリジナリティに富む水盤を提供することができる。
【発明を実施するための最良の形態】
【０００６】  以下、本発明の実施形態について説明する。
図において、１は芯材で、鉄製金網にて器形状に形成したもので、線径０．７ｍｍ、開き目（メッシュ）６ｍｍ程度のものが使われる。２は器形成体で、木炭粉、軽石粉、セメント、希釈木酢液、松煙を適度に配合して練り上げ、芯材に塗りつけて乾燥させたものである。この器形成体は、上記混合物の配合比を変えたものを３種用意し、３度の塗り込みと乾燥にて形成される。
次ぎに、本発明の製造工程について説明する。
１．木炭を砕いてふるいにかけ、木炭粉粒度の均一化を図る。
２．木酢液に水を混ぜて希釈木酢液を作る。
混合比率は、、木酢原液１に対して水４〜３０の範囲であり、通常は１対８〜１対１２  が用いられる。
３．金網にて器形状を形成する。
４．各種材料を混合して練り上げ、器形成材料を作る。各種材料は木炭粉、軽石粉、セメ  ント、希釈木酢液、松煙（松材の炭化粉）である。なお、軽石粉はでんぷん粉程度の微  粒子状である。この混合材料は各塗り工程によりその配合比が変化する。最初に塗る下  塗りに用いる場合は、粉炭１、軽石粉４、セメント５、希釈木酢液１０、松煙０．０５  の配合比である。（容積比）これらを混合して練り上げて器形成材料とする。
５．この器形成材料を未乾燥のうちに、成形した金網表面に塗りつけ、１回目の乾燥を行  う。（自然乾燥）この乾燥時間は季節等により変化し、夏季は３時間程度、冬季は２日  ほどである。気温や湿度を考慮して適宜に乾燥時間が選定される。この乾燥時間が短す  ぎると希望の形状が作りにくく、乾燥しすぎると次ぎに行う中塗り時になじまないこと  になる。
６．２度目に塗る中塗り材料を調整する。この中塗りに用いる器形成材料配合比は、粉炭  ２、軽石粉３、セメント５、希釈木酢液１０、松煙０．０６７である。
７．下塗り乾燥後の器表面に中塗り材料を塗りつけ、前回と同様に乾燥工程を行う。乾燥  時間は前回と同様である。
８．上塗り材料を調整する。この上塗りに用いる器形成材料は粉炭４、軽石粉１、セメン  ト５、希釈木酢液１０、松煙０．１の配合比である。
９．中塗り乾燥後の器表面に上塗り材料を塗りつけ、前回と同様に乾燥工程を行う。乾燥  時間は前回と同様である。
１０．十分に乾燥したことを確認した後、流水に３日〜５日ほどさらしてあく抜きを行う  。このあく抜きによって成型物のアルカリ度を中性に近づける。この作業により各材料  の接着力を保つことができる。
１１．あく抜き後、乾燥させて仕上げる。
以上が本発明実施形態の製造工程である。【０００７】  本発明は、従来のように陶器、鉄、木などにて製作された水盤と異なり、炭粉その他の材料を混合成形することにより、より自然に近い外観・質感を得ることを目的とし、その造形に変化を持たせることによって渓流的雰囲気を室内で味わえるように構成したものである。そのため、風情を楽しめるように炭粉を用いたのである。炭粉だけでは粒子の接着力がないため、セメントを混入するのであるが、炭粉とセメントはなじみが悪く容易には接着しない。そこで硬質微粒子としての軽石粉を用いた。これにより接着力が増して強固な造形物となり、水漏れを防ぎ、また多孔質の軽石粉により全体重量を軽減させることができる。
以上の材料は強アルカリ性であるため、このままでは水盤に植物を植えつけるに適さない。そのため、酸性液として木酢液、すなわち木材などの有機物を炭化するときに出る煙に含まれる酸性液を混合してより中性に近づけることとしたのである。ただ、木酢原液ではその酸性度が高すぎるため、本発明では水で希釈して希釈木酢液として用いる。
この木酢液は古くから土壌改良に利用され、殺虫・防虫効果のあることで知られている。
松煙は、樹脂分の多い松根を燃焼させて作った煤であり、黒色顔料として利用されているが、この松煙を混入することで黒色が強調される。すなわち、松煙を混入しないままでは出来上がりの色はコンクリート色になるために、この松煙を用いることにより黒色が得られて風情強調に役立てることができる。また、炭粉と軽石粉を用いたので、その多孔性にて水を吸い上げ、気化熱にて全体の温度を下げることができ、後述する霧発生にて湿度を保つため、苔等の湿気を好む植物に適した環境を得ることができる。【０００８】  なお、実施形態では有機性炭化物として木炭粉を用いたが、野菜、穀物、竹など炭化できる他のものを用いてもよい。また硬質微粒子として軽石粉を用いたが、他に砂、珪石、珪藻土、珊瑚等の粒子を用いてもよい。酸性液として木酢液を用いたが、硫酸や塩酸などを用いることもできるが、安全性への留意を要する。松煙を顔料として用いることにより黒色を得たが、他の顔料を用いてもよい。
実施形態で説明した配合比は一つの例であり、以下の範囲内での使用が可能である。
木炭粉    ２０％の増減      軽石粉    ２０％の増減
セメント  １０％の増減      木酢液    ２０％の増減
松煙      ２０％の増減
また、下塗りから上塗りになるにつれて炭粉の配合比率が増加するとともに、軽石粉は減少し、松煙は増加しているが、これはより墨色に近い外観を得るための配慮である。
なお、上塗りでは筆、刷毛、ナイフなどを用いて様々な形状・表情を表現する。
また、芯材に鉄製金網を用いたので器形成材料とのなじみもよく、その形状も作りやすく、この金網は縦横に線材が位置するので全方向の引張に対応して、長時間の使用に適したものとなった。【０００９】  本発明の内容については既述したが、本発明はその使い方により、特徴的な水盤として使用することができる。水盤としての一般的な使用は、水をはって花を生けたり、盆石を置く、あるいは苔を植生してその風情を楽しむものである。しかし本発明ではさらに他にない特徴的な利用が可能である。
すなわち、図１にて示すように、水盤にはった水の中に超音波発生器を投入し、その作動にて水面上に霧を発生させることによって、より水墨画的雰囲気を醸し出すことができる。この超音波発生器（市販品）は、円筒状の物体の上面に振動板を有し、内部の超音波発生素子にてこの振動板を振動させるもので、水中に投入して作動させることでこの振動板上方に位置する水に振動を与えて霧を発生させるものである。
これにより発生した霧は水盤にはられた水面上に霧層となって位置し、水盤の形状・質感・色合いとマッチして幽玄な趣を醸し出すことができる。ある程度の厚さに霧層が堆積すると、この霧層の一部は水盤から外に流れ出て下方に移行することとなり、動きの変化を楽しむことができる。また、この霧の発生に伴ってマイナスイオンが発生するので、人体と植物にやさしい環境を得ることができ、室内の湿度調整にも役立てることができる。
なお、この超音波発生器はコードにて外部電源に接続される。【００１０】  また、器形成体は炭粉を有するのでこれ自体からもマイナスイオンを発生し、かつ防臭・脱臭効果を有している。器形成体はその多孔性にて吸水機能を有しており、また吸水した水分が蒸発して室内に吐き出す作用も有し、室内の湿度調整効果がある。
この蒸発にてもマイナスイオンが発生し、水分含有が多いときは黒色が強調され、少ないときはその逆の薄い色となり、その変化を楽しむことができる。
本発明の使用に際しては水盤に水を貯留しての使用以外に、外部ポンプによる水の循環による使用も可能であり、この循環方式では清流のイメージを鑑賞者に与えることができる。なお、炭粉による水の清浄殺菌作用にて、使用する水の腐敗を防止することができる。
本発明は、その形状を自在に設定して製作することができるので、制作者の意向に添ったオリジナリティあふれる作品を作ることができる。
以上のごとく、本発明によって斬新性と有用性に富む水盤およびその製法を得ることができる。
【図面の簡単な説明】
【００１１】
【図１】  本発明の基本構造説明図
【図２】  本発明の要部構造説明図
【図３】  本発明の使用状態説明図
【符号の説明】
【００１２】１  芯材
２  器形成体
３  超音波発生器
４  水
５  霧
【図１】
2005342455.tif 000003
【図２】
2005342455.tif 000004
【図３】
2005342455.tif 000005